(57)【要約】【課題】画像表示データの切り替え制御を短時間で完了させる。【解決手段】表示制御部３３は、近接センサ８の検出結果に基づいて、ＥＶＦ７１と表示モニタ６１との中から表示画像を表示する表示デバイスを選択する。画像出力コントローラ３４は、表示制御部３３により選択された表示デバイスの表示特性に合わせた表示画像を生成して、表示制御部３３により選択された表示デバイスに出力する。表示制御部３３は、モニタ用ドライバ６０やＥＶＦ用ドライバ７０を制御して、ＥＶＦ７１と表示モニタ６１のうち表示画像を表示しない表示デバイスを待機状態に切り替える表示オフ制御の後に、表示画像を表示する表示デバイスを表示可能状態に切り替える表示オン制御を行う。画像出力コントローラ３４は、表示オフ制御を開始するときに、表示画像を出力するための制御を開始する。【選択図】図１
2014014046.tif 000002
【特許請求の範囲】
【請求項１】
表示面へ表示画像を表示可能な表示可能状態と前記表示面へ前記表示画像を表示しない待機状態とを有する複数の表示部と、
前記複数の表示部の中から前記表示画像を表示する表示面を択一的に選択する表示面選択部と、
前記表示画像として、前記表示面選択部により選択された表示面の表示特性に合わせた表示画像を生成して、当該表示面に出力する画像出力部と、
前記表示面選択部により選択されなかった表示面を待機状態に切り替える表示オフ制御の後に、前記表示面選択部により選択された表示面を表示可能状態に切り替える表示オン制御を行う表示面切替部と、を備え、
前記画像出力部は、前記表示面切替部が前記表示オフ制御を開始するとき、当該表示面の表示特性に合わせた表示画像を出力するための制御を開始することを特徴とする撮像装置。
【請求項２】
請求項１に記載の撮像装置において、
前記表示面選択手段は、近接センサを有し、
前記近接センサが物体の近接を検出したとき、前記表示画像を表示する表示面として、接眼光学系を介して表示面が視認可能な第１表示部を選択して、
前記近接センサが物体の近接を検出していないとき、前記表示画像を表示する表示面として、前記接眼光学系を介さずに表示面が視認可能な第２の表示面を選択することを特徴とする撮像装置。
【発明の詳細な説明】
【技術分野】
【０００１】
本発明は撮像装置に関する。
【背景技術】
【０００２】
光学ファインダと、電子ファインダとして利用可能な背面モニタ（たとえば表示モニタ）とを備え、光学ファインダの近傍に設置された近接センサの検知結果により、光学ファインダと背面モニタによる電子ファインダとを切り替える撮像装置が知られている（たとえば、特許文献１）。
また、スルー画像を表示し接眼光学系を介して視認可能な表示部（たとえば電子ビューファインダ）と、スルー画像を表示し接眼光学系を介さない表示部（たとえば、背面モニタ）とを備える撮像装置が知られている（たとえば、特許文献２）。
【先行技術文献】
【特許文献】
【０００３】
【特許文献１】特開２００９−１１１４５８号公報
【特許文献２】特開２０１２−０４４２９１号公報
【発明の概要】
【発明が解決しようとする課題】
【０００４】
電子ビューファインダと背面モニタとを有する撮像装置では、電子ビューファインダと背面モニタとを同時に使用することが少ないため、それらに表示画像を出力する画像出力コントローラは共通の部品が用いられることがある。
【０００５】
電子ビューファインダと背面モニタは、水平解像度や垂直解像度などの表示特性が互いに異なっていることが多い。そのため、画像出力コントローラを電子ビューファインダと背面モニタとの間で共通の部品とした場合、撮像装置は、表示画像の切り替え制御を必要とする。
【０００６】
従来の撮像装置では、電子ビューファインダと背面モニタのうち表示画像を表示していた一方の表示デバイスを待機状態に移行させる表示オフ制御を行った後に、表示画像を表示していなかった他方の表示デバイスを表示可能状態に移行させる表示オン制御を行うときに表示画像の切り替え制御を開始していた。しかし、表示画像の切り替え制御に要する時間は表示オン制御に要する時間よりも相対的に長く、表示デバイスが表示可能状態となってから表示画像が実際に表示されるまでの時間が撮影者にストレスを感じさせる結果となっていた。
【課題を解決するための手段】
【０００７】
本発明による撮像装置は、表示面へ表示画像を表示可能な表示可能状態と表示面へ表示画像を表示しない待機状態とを有する複数の表示部と、複数の表示部の中から表示画像を表示する表示面を択一的に選択する表示面選択部と、表示画像として、表示面選択部により選択された表示面の表示特性に合わせた表示画像を生成して、当該表示面に出力する画像出力部と、表示面選択部により選択されなかった表示面を待機状態に切り替える表示オフ制御の後に、表示面選択部により選択された表示面を表示可能状態に切り替える表示オン制御を行う表示面切替部と、を備え、画像出力部は、表示面切替部が表示オフ制御を開始するとき、当該表示面の表示特性に合わせた表示画像を出力するための制御を開始することを特徴とする。
【発明の効果】
【０００８】
本発明によれば、より早期に表示画像の切り替え制御を開始することにより、表示画像の切り替え制御を従来よりも短時間で完了させることができる。
【図面の簡単な説明】
【０００９】
【図１】本発明の一実施の形態による撮像装置のブロック構成図である。
【図２】撮像装置に備わる画像出力コントローラが生成する表示画像の一例である。
【図３】表示画像の切り替え制御に要する時間について説明するための図である。
【図４】本発明の一実施の形態による撮像装置における表示画像の切り替え制御に関するタイミングチャートの一例である。
【図５】本発明の一実施の形態による撮像装置の背面図の一例である。
【図６】本発明の一実施の形態による撮像装置における表示画像の切り替え制御に関するタイミングチャートの一例である。
【発明を実施するための形態】
【００１０】
図１は、本発明の一実施の形態による撮像装置の概略ブロック図である。図１に例示される撮像装置１００はライブビュー機能を有するデジタルカメラである。ライブビュー機能とは、静止画や動画像を撮像する際に、撮影者がレリーズ操作をする前に被写体像を表示デバイスに表示する機能である。
【００１１】
撮像装置１００は、ライブビュー機能用の表示デバイスとして、表示モニタ６１と電子ビューファインダ（以後、ＥＶＦとする）７１とを備える。また、撮像装置１００は、撮像素子１と信号処理回路２と制御部３と操作部材４と記録媒体５と近接センサ８と結像光学系１０とモニタ用ドライバ６０とＥＶＦ用ドライバ７０と接眼光学系７２とを備える。
【００１２】
撮像素子１は、結像光学系１０により素子面（撮像面）上に結像された被写体像を光電変換して撮像信号を出力する。信号処理回路２は撮像素子１から出力された撮像信号に対してＡ／Ｄ変換を含む所定の信号処理を施す。信号処理回路２により信号処理を施された撮像信号は制御部３に入力される。
【００１３】
制御部３は、ＣＰＵ３０と画像処理部３１とＤＲＡＭ３２と表示制御部３３と画像出力コントローラ３４とＲＯＭ３５とを有する。ライブビュー機能を利用しているとき、レリーズ操作の前に制御部３へ入力された撮像信号は、ライブビュー画像（スルー画像とも呼ばれる）としてリアルタイムにＤＲＡＭ３２へ記録される。
【００１４】
レリーズ操作時に制御部３へ入力された撮像信号は、画像処理部３１に入力される。画像処理部３１は、制御部３に入力された撮像信号に対して所定の画像処理を実行して、ホワイトバランスやコントラストなどを調整する。
【００１５】
ＣＰＵ３０は、ＲＯＭ３５に記憶されている制御プログラムに従って、撮像装置１００の各部を制御する。そして、表示制御部３３は、後述する近接センサ８の入力信号に基づいて、表示モニタ６１とＥＶＦ７１のいずれかの表示デバイスを選択し、ＤＲＡＭ３２に記憶されたライブビュー画像を選択された表示デバイスに表示させる。
【００１６】
表示モニタ６１およびＥＶＦ７１は、バックライト（不図示）と液晶パネル（不図示）とをそれぞれ有する。表示モニタ６１およびＥＶＦ７１は、表示画像を表示可能な表示可能状態と、表示画像を表示しない待機状態とを有する。表示可能状態とは、表示画像が入力されたときに液晶パネルの表示面にその表示画像を表示することができる状態、すなわち液晶パネルの各画素に所定の駆動電圧が印加された状態である。待機状態とは、液晶パネルの駆動電圧をオフしており、液晶パネルの表示面に表示画像を表示しない状態である。
【００１７】
表示制御部３３は、表示モニタ６１やＥＶＦ７１を表示可能状態とするときそれらのバックライトを点灯させ、表示モニタ６１やＥＶＦ７１を待機状態とするときそれらのバックライトを消灯させる。表示可能状態にある表示デバイスの液晶パネルに表示された表示画像は、バックライトが点灯しているとき視認可能となる。
【００１８】
さらに、表示制御部３３は、表示モニタ６１を表示可能状態にするとき、表示オン信号と称する制御信号を、モニタ用ドライバ６０に送信する。同様に、表示制御部３３は、ＥＶＦ７１を表示可能状態にするとき、表示オン信号をＥＶＦ用ドライバ７０に送信する。表示制御部３３は、表示モニタ６１を待機状態にするとき、表示オフ信号と称する制御信号を、モニタ用ドライバ６０に送信する。同様に、表示制御部３３は、ＥＶＦ７１を待機状態にするとき、表示オフ信号をＥＶＦ用ドライバ７０に送信する。
【００１９】
モニタ用ドライバ６０は、表示制御部３３から表示オン信号が入力されたら表示モニタ６１の液晶パネルの表示制御に必要な電源を生成する。また、ＥＶＦ用ドライバ７０は、表示制御部３３から表示オン信号が入力されたらＥＶＦ７１の液晶パネルの表示制御に必要な電源を生成する。表示制御部３３から表示オン信号が入力されたときに、モニタ用ドライバ６０やＥＶＦ用ドライバ７０が行う制御のことを表示オン制御と称する。表示モニタ６１が待機状態のときにモニタ用ドライバ６０が表示オン制御を行い完了すると、表示モニタ６１は表示可能状態となる。同様にＥＶＦ７１が待機状態のときにＥＶＦ用ドライバ７０が表示オン制御を行い完了すると、ＥＶＦ７１は表示可能状態となる。なお、表示オン制御において、液晶パネルの駆動電圧が最適な電圧に達するまでには所定時間Ｔｏｎ（たとえば、数十ミリ秒）を要する。
【００２０】
モニタ用ドライバ６０は、表示制御部３３から表示オフ信号が入力されたら表示モニタ６１の液晶パネルの駆動電圧をオフにし、さらに液晶パネルの各画素に残存した電荷を放電させる。また、ＥＶＦ用ドライバ７０は、表示制御部３３から表示オフ信号が入力されたらＥＶＦ７１の液晶パネルの駆動電圧をオフにし、さらに液晶パネルの各画素に残存した電荷を放電させる。表示制御部３３から表示オフ信号が入力されたときに、モニタ用ドライバ６０やＥＶＦ用ドライバ７０が行う制御のことを表示オフ制御と称する。表示モニタ６１が表示可能状態のときにモニタ用ドライバ６０が表示オフ制御を行い完了すると、表示モニタ６１は待機状態となる。ＥＶＦ７１が表示可能状態のときにＥＶＦ用ドライバ７０が表示オフ制御を行い完了すると、ＥＶＦ７１は待機状態となる。なお、モニタ用ドライバ６０やＥＶＦ用ドライバ７０は、この表示オフ制御に関しても所定時間Ｔｏｆｆ（たとえば、数十ミリ秒）を要する。
【００２１】
画像出力コントローラ３４は、ＤＲＡＭ３２を作業領域として、表示モニタ６１およびＥＶＦ７１のいずれか一方へ出力する表示画像を生成する。画像出力コントローラ３４は、表示モニタ６１用の表示画像を生成したときは、その表示画像をモニタ用ドライバ６０へ出力する。モニタ用ドライバ６０は、表示可能状態となった表示モニタ６１の表示面にその表示画像を表示させる。画像出力コントローラ３４は、ＥＶＦ７１用の表示画像を生成したときは、その表示画像をＥＶＦ用ドライバ７０へ出力する。ＥＶＦ用ドライバ７０は、表示可能状態となったＥＶＦ７１の表示面にその表示画像を表示させる。
【００２２】
図２は、表示モニタ６１用の表示画像とＥＶＦ７１用の表示画像とについて説明するための図である。図２（ａ）には表示モニタ６１用の表示画像の一例が図示されている。図２（ｂ）にはＥＶＦ７１用の表示画像の一例が図示されている。図２（ａ）では、表示モニタ６１の表示特性（液晶パネルの水平解像度や垂直解像度など）は１０２４×７６８であるものとしている。図２（ｂ）では、ＥＶＦ７１の水平解像度×垂直解像度は８００×６００であるものとしている。
【００２３】
画像出力コントローラ３４は、表示モニタ６１用の表示画像を生成するときは、図２（ａ）に示すように表示モニタ６１の表示特性に合わせた表示画像６１０を所定のフレームレートで生成する。一方、ＥＶＦ７１用の表示画像を生成するとき、画像出力コントローラ３４は、図２（ｂ）に示すようにＥＶＦ７１の表示特性に合わせた表示画像７１０を所定のフレームレートで生成する。
【００２４】
画像出力コントローラ３４は、表示モニタ６１用の表示画像を生成するとき、ピクセルクロック（サンプルレート）と水平同期信号と垂直同期信号とを、表示モニタ６１用の表示画像６１０の垂直解像度および水平解像度とフレームレートとに基づいて設定する。一方、ＥＶＦ７１用の表示画像を生成するときは、画像出力コントローラ３４は、ピクセルクロック（サンプルレート）と水平同期信号と垂直同期信号とを、ＥＶＦ７１用の表示画像７１０の垂直解像度および水平解像度とフレームレートとに基づいて設定する。
【００２５】
表示モニタ６１用の表示画像６１０を生成する場合とＥＶＦ７１用の表示画像７１０を生成する場合とでピクセルクロックと水平同期信号と垂直同期信号とが異なるため、画像出力コントローラ３４は、表示モニタ６１用の表示画像６１０とＥＶＦ７１用の表示画像７１０とを同時に生成出力しない。画像出力コントローラ３４は、表示制御部３３が表示モニタ６１またはＥＶＦ７１のバックライトを消灯（表示オフ制御を開始）したとき、出力する表示画像を切り替える。
【００２６】
画像出力コントローラ３４が出力する表示画像の切り替え制御には、数百ミリ秒程度の時間Ｔｃを要する。すなわち、表示画像の切り替え制御に要する時間Ｔｃは、表示制御部３３がバックライトの消灯／点灯を行う時間、モニタ用ドライバ６０やＥＶＦ用ドライバ７０が表示オン制御を行う時間Ｔｏｎ、表示オフ制御を行う時間Ｔｏｆｆよりも長い。なお、時間Ｔｃは、ＣＰＵ３０が並行処理しているタスクの個数により変化する。
【００２７】
従来の撮像装置は、この表示画像の切り替え制御を表示オン制御と同時に開始する。そのため、図３に示すように、表示オン制御が完了して表示モニタ６１やＥＶＦ７１が表示可能状態に移行してから、表示画像の切り替え制御が完了するまでの時間Ｔｗａｉｔが長かった。従来の撮像装置では、この時間Ｔｗａｉｔが長いため、その結果表示画像の切り替え制御に要する時間Ｔｃも長くなってしまい、撮影者がストレスを感じていた。本発明では、表示画像の切り替え制御を表示オン制御よりも早期に開始することで時間Ｔｗａｉｔを短縮する。
【００２８】
図４〜図６を用いて、本発明の撮像装置による表示画像の切り替え制御について説明する。図４は、表示画像を表示する表示デバイスを表示モニタ６１からＥＶＦ７１への切り替え制御に関するタイミングチャートである。図４のタイミングチャートには、上段から以下の六項目に関する情報が図示されている。
近接センサ８の検出状態（非検出または検出）、
表示モニタ６１の状態（表示可能状態、待機状態、表示オン制御、または表示オフ制御）、
表示モニタ６１のバックライトの点灯状態（点灯または消灯）、
ＥＶＦ７１の状態（表示可能状態、待機状態、表示オン制御、または表示オフ制御）、
ＥＶＦ７１のバックライトの点灯状態（点灯または消灯）、
画像出力コントローラ３４が生成する表示画像（表示モニタ６１用、ＥＶＦ７１用、または切り替え制御）
【００２９】
近接センサ８は、近接する物体の有無を検出するセンサである。図５は、近接センサ８を示すための撮像装置１００の背面図である。図５に示すように、近接センサ８はＥＶＦ７１の接眼部の近傍に取り付けられている。近接センサ８は、撮影者が接眼光学系７２を覗くとき、近接センサ８はその撮影者の顔面の近接を検出する。近接センサ８の検出結果は、表示制御部３３に出力される。
【００３０】
表示制御部３３は、近接センサ８が物体（撮影者の顔面等）の近接を検出したとき表示画像を表示する表示デバイスとしてＥＶＦ７１を選択して、ＥＶＦ７１が表示可能状態になるように表示オン制御を行う。一方、表示制御部３３は、近接センサ８が物体の近接を検出していないとき表示画像を表示する表示デバイスとして表示モニタ６１を選択して、表示モニタ６１が表示可能状態になるように表示オン制御を行う。図４の時刻Ｔ０（初期状態）では、近接センサ８が物体の近接を検出しておらず、表示モニタ６１が表示可能状態となっている。
【００３１】
時刻Ｔ０（初期状態）における図４の六項目の状態は、以下の通り。
近接センサ８：非検出（物体の近接を検出していない）
表示モニタ６１：表示可能状態
表示モニタ６１のバックライト：点灯
ＥＶＦ７１：待機状態
ＥＶＦ７１のバックライト：消灯
画像出力コントローラ３４が生成する表示画像：表示モニタ用
【００３２】
図４の時刻Ｔ１では、近接センサ８が物体の近接を検出して、非検出状態から検出状態となる。表示制御部３３は、近接センサ８が物体の近接を検出すると、表示モニタ６１のバックライトを消灯させる。このとき、画像出力コントローラ３４は、ピクセルクロックおよび水平・垂直同期信号をＥＶＦ７１に対応した周波数に切り替えると共に、生成する表示画像をＥＶＦ７１用の表示画像に切り替える制御を開始する。
【００３３】
また、時刻Ｔ１において、表示制御部３３は、モニタ用ドライバ６０に表示オフ信号を出力する。表示オフ信号を入力されたモニタ用ドライバ６０は、表示モニタ６１の表示オフ制御を開始する。表示モニタ６１の表示オフ制御が時刻Ｔ１から所定時間Ｔｏｆｆ（たとえば、数十ミリ秒）後の時刻Ｔ２で終了し、表示モニタ６１が待機状態となると、表示制御部３３は、ＥＶＦ用ドライバ７０に表示オン信号を出力する。ＥＶＦ用ドライバ７０は、表示オン信号が入力されたため、ＥＶＦ７１の表示オン制御を開始する。そして、ＥＶＦ７１の表示オン制御が時刻Ｔ２から所定時間Ｔｏｎ（たとえば、数十ミリ秒）後の時刻Ｔ３で終了すると、ＥＶＦ７１は表示可能状態となる。このとき、表示制御部３３は、ＥＶＦ７１のバックライトを点灯させる。
【００３４】
画像出力コントローラ３４による生成する表示画像の切り替え制御は、時刻Ｔ１から時間Ｔｃ（たとえば、数百ミリ秒）後の時刻Ｔ４で終了する。画像出力コントローラ３４は、時刻Ｔ４以降、ＥＶＦ７１用の表示画像をＥＶＦ用ドライバ７０に出力する。時刻Ｔ４よりも前の時刻Ｔ３において既にＥＶＦ７１が表示可能状態となっているため、出力された表示画像は、ＥＶＦ７１にただちに表示される。ＥＶＦ７１が表示可能状態に移行してからＥＶＦ用の表示画像に切り替える切り替え制御が完了するまでの時間Ｔｗａｉｔは、表示制御部３３が表示モニタ６１のバックライトを消灯したときに開始しているため、図３に示す従来の方法よりも所定時間Ｔｏｆｆだけ早く完了する。
【００３５】
なお、ＥＶＦ７１から表示モニタ６１へと表示画像を表示する表示デバイスを切り替える制御についても同様の制御を行うことができる。図６は、ＥＶＦ７１から表示モニタ６１へと表示画像を表示する表示デバイスを切り替える場合のタイミングチャートである。図６では、図４における表示モニタ６１関連の制御とＥＶＦ７１関連の制御とが入れ替わっている。
【００３６】
以上で説明した実施の形態によれば、以下の作用効果が得られる。
本発明の一実施の形態による撮像装置１００はＥＶＦ７１と表示モニタ６１とを有し、ＥＶＦ７１と表示モニタ６１とは表示可能状態と待機状態とを有する。表示制御部３３は、近接センサ８の検出結果に基づいて、表示画像を表示する表示デバイスであるＥＶＦ７１か表示モニタ６１のいずれか一方を選択する。画像出力コントローラ３４は、表示制御部３３により選択された表示デバイスの表示特性に合わせた表示画像を生成して、表示制御部３３により選択された表示デバイスに出力する。表示制御部３３は、モニタ用ドライバ６０やＥＶＦ用ドライバ７０を制御して、ＥＶＦ７１と表示モニタ６１のうち表示画像を表示しない表示デバイスを待機状態に切り替える表示オフ制御の後に、表示画像を表示する表示デバイスを表示可能状態に切り替える表示オン制御を行う。画像出力コントローラ３４は、表示オフ制御を開始するときに、表示画像を出力および生成する制御を開始する。このようにすることで、撮像装置１００は、従来よりも画像表示データの切り替え制御を短時間で完了させることができる。
【００３７】
以上で説明した実施の形態は、以下のように変形して実施できる。
（変形例１）上記の実施の形態では表示制御部３３は近接センサ８の検出結果に基づいて表示画像を表示する表示デバイスを選択したが、近接センサ８の検出結果以外のものに基づいて表示デバイスを選択してもよい。たとえば、表示制御部３３は、図５においてＥＶＦ７１の近傍に図示されている操作部材４ｂの操作状態に基づいて制御を行うことにしてもよい。
【００３８】
（変形例２）表示オフ制御を開始するときと表示オン制御を開始するときのうち、いずれのタイミングから画像出力コントローラ３４が表示画像の切り替え制御を開始するかについて、撮影者が予め選択できるようにしてもよい。
（変形例３）ＥＶＦ７１以外の表示デバイスは、ＥＶＦ７１と同時に視認可能な表示デバイスでなければ表示モニタ６１以外のものでもよい。また、撮像装置１００に備わる表示デバイスは表示モニタ６１とＥＶＦ７１との二つだけに限定しない。
（変形例４）図４におけるＥＶＦ７１のバックライト点灯を時刻Ｔ４のタイミングで行うことにしてもよい。切り替え制御が完了し、ＥＶＦ７１用の表示画像をＥＶＦ用ドライバ７０に出力するときに、ＥＶＦ４１のバックライトの点灯を開始することで、時間Ｔｗａｉｔ分の点灯時間が短くなり、省電力の効果が得られる。また、図６における表示モニタ６１のバックライトの点灯を時刻Ｔ１０のタイミングで行うことで、同様の効果が得られる。
【００３９】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００４０】
４，４ｂ：操作部材，８：近接センサ，
３０：ＣＰＵ，３２：ＤＲＡＭ，３３：表示制御部，３４：画像出力コントローラ，
６０：モニタ用ドライバ，６１：表示モニタ，
７０：ＥＶＦ用ドライバ，７１：ＥＶＦ，７２：接眼光学系，
１００：撮像装置，６１０，７１０：表示画像
【図１】
2014014046.tif 000003
【図２】
2014014046.tif 000004
【図３】
2014014046.tif 000005
【図４】
2014014046.tif 000006
【図５】
2014014046.tif 000007
【図６】
2014014046.tif 000008